(57)【要約】【課題】  車両の各装置の操作を行う車両用意志選択決定装置において、その操作性を高めると共に、各乗員の内のだれが優先的に操作を行うかを明確にする。【解決手段】  操作に応じて信号を出力する複数のジョグダイヤル１１，１２を有するジョグダイヤル装置１０として構成される車両用意志選択決定装置であって、前記各ジョグダイヤル１１，１２が、乗員の手先を広げた状態での親指の直下に相当する位置と、人差し指又は中指の直下に近接する位置とに離間して配設されると共に、各ジョグダイヤル１１，１２の回転軸Ａ，Ｂが互いに略直交するように配設されることを特徴とする。【選択図】  図３
2005170219.tif 000002
【特許請求の範囲】
【請求項１】
操作に応じて信号を出力する複数の回転操作部材を有する車両用意志選択決定装置であって、前記各回転操作部材が、乗員の手先を広げた状態での親指の直下に相当する位置と、人差し指又は中指の直下に近接する位置とに離間して配設されると共に、各回転操作部材の回転軸が互いに略直交するように配設されることを特徴とする車両用意志選択決定装置。
【請求項２】
前記各回転操作部材が取り付けられる支持部を有し、この支持部が、各回転操作部材の回転軸が存在する面の法線方向に概ね沿う回動軸を中心として回動操作可能に構成されることを特徴とする請求項１に記載の車両用意志選択決定装置。
【請求項３】
前記支持部が、各座席間の略中央位置でかつその回動軸が車両天地方向に概ね沿うように設けられることを特徴とする請求項１又は請求項２に記載の車両用意志選択決定装置。
【請求項４】
前記支持部が、各座席間の略中央位置でかつその回動軸が車両左右方向に概ね沿うように設けられることを特徴とする請求項１又は請求項２に記載の車両用意志選択決定装置。
【発明の詳細な説明】
【技術分野】
【０００１】
この発明は、自動車等の車両のオーディオ装置、ナビゲーション装置、及びエアコン装置等の操作を乗員の意志に基づき選択及び決定する車両用意志選択決定装置に関する。
【背景技術】
【０００２】
従来から、例えば情報端末装置等の操作手段として、複数のジョグダイヤル（回転操作部材）を有し、使用者の意志に基づき所望の操作を選択及び決定することができる意志選択決定装置が採用されることがある（例えば、特許文献１参照。）。これは、多くの入力キーやスイッチ等を設けることなく、ジョグダイヤルを回転させるのみで対象となる装置を操作できるものである。
【特許文献１】特開２００２−３４２０１３号公報
【発明の開示】
【発明が解決しようとする課題】
【０００３】
ところで、自動車等の車両において、オーディオ装置、ナビゲーション装置、及びエアコン装置等の操作手段としての意志選択決定装置を、所定のモニタ画面等を見ながら操作するように構成されたものがあるが、このような場合にも、上述のようなジョグダイヤルを有する意志選択決定装置の採用が要望されている。その際、前記各装置の操作を各乗員が重複して行わないように、だれが優先的に操作を行うかを明確にできるような構成であることが望ましい。
この発明は上記事情に鑑みてなされたもので、車両の各装置の操作を行う車両用意志選択決定装置において、その操作性を高めると共に、各乗員の内のだれが優先的に操作を行うかを明確にすることを目的とする。
【課題を解決するための手段】
【０００４】
上記課題の解決手段として、請求項１に記載した発明は、操作に応じて信号を出力する複数の回転操作部材（例えば実施例のジョグダイヤル１１，１２）を有する車両用意志選択決定装置（例えば実施例のジョグダイヤル装置１０）であって、前記各回転操作部材が、乗員の手先を広げた状態での親指の直下に相当する位置と、人差し指又は中指の直下に近接する位置とに離間して配設されると共に、各回転操作部材の回転軸（例えば実施例の回転軸Ａ，Ｂ）が互いに略直交するように配設されることを特徴とする。
【０００５】
この構成によれば、各回転操作部材の回転方向が、親指及び人差し指又は中指の自然な動作方向と概ね一致するので、乗員が操作対象となる各装置の操作を所定のモニタ画面等を見ながら行う際にも、各回転操作部材による操作方法を直感的に理解し操作することができる。しかも、各回転操作部材を同時に操作できるので、これらを持ち直す必要がない。
また、各回転操作部材の位置から、各乗員の内のだれが優先的に操作を行うかを明確にできる。
【０００６】
請求項２に記載した発明は、前記各回転操作部材が取り付けられる支持部（例えば実施例の支持部１３）を有し、この支持部が、各回転操作部材の回転軸が存在する面の法線方向に概ね沿う回動軸（例えば実施例の回動軸Ｃ，Ｄ）を中心として回動操作可能に構成されることを特徴とする。
【０００７】
この構成において、請求項３に記載した発明のように、前記支持部が、各座席間の略中央位置でかつその回動軸（例えば実施例の回動軸Ｃ）が車両天地方向に概ね沿うように設けられていれば、各回転操作部材を車両右側に着座した乗員がその左手で操作可能な状態と、車両左側に着座した乗員がその右手で操作可能な状態とを、各回転操作部材と共に支持部を回動軸を中心として回動操作することで切り替えることができる。
【０００８】
また、請求項４に記載した発明のように、前記支持部が、各座席間の略中央位置でかつその回動軸（例えば実施例の回動軸Ｄ）が車両左右方向に概ね沿うように設けられていれば、各回転操作部材を前部座席に着座した乗員が操作可能な状態と、後部座席に着座した乗員が操作可能な状態とを、各回転操作部材と共に支持部を回動軸を中心として回動操作することで切り替えることができる。
【発明の効果】
【０００９】
請求項１に記載した発明によれば、車両用意志選択決定装置自身の操作性を高めることができる。また、優先的に操作可能な乗員にその操作を促すと共に各乗員による重複操作を抑えて利便性を向上させることができる。
請求項２，３，４に記載した発明によれば、各乗員の内のだれが優先的に操作可能かを容易に切り替えることができる。
【発明を実施するための最良の形態】
【００１０】
以下、この発明の実施例を図面を参照して説明する。なお、以下の説明における前後左右等の向きは、特に記載が無ければ車両における向きと同一とする。
【００１１】
図１に示す自動車（車両）１は、例えば四人乗りの乗用車である。車室２の前部には前部座席（助手席及び運転席）である左右のシート３，４が、車室２の後部には後部座席である左右のシート５，６がそれぞれ設けられる。なお、図中矢印ＦＲは車両前方を指向し、矢印ＬＨは車両左方を指向している。
【００１２】
自動車１には、不図示のオーディオ装置、ナビゲーション装置、及びエアコン装置等が装備されており、これら各装置の作動状況及び操作状況を表示するモニタ画面７がインストルメントパネル８の車幅方向略中央に設けられる。シート３，４間の略中央位置にはアームレスト９が配設され、このアームレスト９の前端部には、前記各装置の操作手段であるジョグダイヤル装置（車両用意志選択決定装置）１０が設けられる。
【００１３】
このジョグダイヤル装置１０は、図２に示すように、回転操作に応じて信号を出力する複数（二つ）の第一及び第二のジョグダイヤル（回転操作部材）１１，１２を有する。これら各ジョグダイヤル１１，１２は、図２に示す状態（後述する図３に示す状態に相当）で、アームレスト９上に置かれたドライバ（シート４に着座した乗員）の左手の手先を広げ、その状態での親指の指先の直下に相当する位置と、中指の指先の直下に相当する位置とに互いに離間して配設される。
【００１４】
親指側に位置する第一のジョグダイヤル１１は、その中心軸である回転軸Ａが車両前後方向に略平行となるように配置される。また、中指側に位置する第二のジョグダイヤル１２は、その中心軸である回転軸Ｂが車両左右方向（車幅方向）に略平行となるように配置される。すなわち、各ジョグダイヤル１１，１２の回転軸Ａ，Ｂは互いに略直交するように配置されている。
【００１５】
そして、各乗員が、モニタ画面７の表示を確認しながら、画面内の二次元上での座標、セル、向き、及びスクロール方向等を指定するべく各ジョグダイヤル１１，１２を回転操作することで、自動車１に搭載された前記各装置の操作を行うことが可能となっている。
【００１６】
アームレスト９の下面側には、車両天地方向（車両上下方向）に概ね沿う略円筒状の支持部１３が設けられる。この支持部１３の右側部には略右側方に向かって延びるアーム１４が設けられ、このアーム１４の右側端部に第一のジョグダイヤル１１が回転可能に取り付けられる。また、支持部１３の前部には略前方に向かって延びるアーム１５が設けられ、このアーム１５の前端部に第二のジョグダイヤル１２が回転可能に取り付けられる。
【００１７】
ここで、各ジョグダイヤル１１，１２の回転軸Ａ，Ｂは、略水平な軸配置平面Ｓ上に配置されている。そして、支持部１３は、前記軸配置平面Ｓの法線方向、すなわち車両天地方向に概ね沿う自身の中心軸を回動軸Ｃとして、各ジョグダイヤル１１，１２と共にアームレスト９に対して所定量だけ回動操作可能に構成される。
【００１８】
図３は、アームレスト９上に置かれたドライバの左手の親指の指先でその直下に配置された第一のジョグダイヤル１１を操作可能であり、中指の指先でその直下に配置された第二のジョグダイヤル１２を操作可能であることを示している。この状態を、各ジョグダイヤル１１，１２がドライバ側から操作可能な位置にある状態とする。この状態から、支持部１３が各ジョグダイヤル１１，１２と共に反時計回りに約９０°回動可能である。
【００１９】
上記の如く、支持部１３及び各ジョグダイヤル１１，１２を反時計回りに９０°回動させることで、図４に示すように、アームレスト９上に置かれたアシスタント（シート３に着座した乗員）の右手の手先を広げ、その状態での親指の指先の直下に相当する位置と、中指の指先の直下に相当する位置とに各ジョグダイヤル１１，１２がそれぞれ配設されることとなる。
【００２０】
このとき、アームレスト９上に置かれたアシスタントの右手の親指の指先でその直下に配置された第二のジョグダイヤル１２を、中指の指先でその直下に配置された第一のジョグダイヤル１１をそれぞれ操作可能である。つまり、図４は、各ジョグダイヤル１１，１２がアシスタント側から操作可能な位置にある状態を示している。
【００２１】
ここで、図３に示す各ジョグダイヤル１１，１２がドライバ側から操作が可能な位置にある状態において、ドライバがその左手親指の指先を左右に動かすというごく自然な動作により、その直下に配設される第一のジョグダイヤル１１の回転操作を行うことができる。同様に、ドライバがその左手中指の指先を上下に動かすというごく自然な動作により、その直下に配設される第二のジョグダイヤル１２の回転操作を行うことができる。
【００２２】
換言すれば、各ジョグダイヤル１１，１２が、ドライバの親指及び中指の指先の動かし易い方向に沿って回転操作可能に配設されている。これにより、ドライバが、左手をアームレスト９上に置いたままの状態で、各ジョグダイヤル１１，１２を持ち直すことなく自然に操作を行うことが可能となる。
【００２３】
同様に、図４に示す各ジョグダイヤル１１，１２がアシスタント側から操作可能な位置にある状態において、アシスタントがその右手親指の指先を左右に動かす、又は右手中指の指先を上下に動かすというごく自然な動作により、これらの直下に各々配設される各ジョグダイヤル１１，１２の回転操作を行うことができる。つまり、各ジョグダイヤル１１，１２は、アシスタントの親指及び中指の指先の動かし易い方向に沿って回転操作可能に配設されている。
【００２４】
これにより、アシスタントが、右手をアームレスト９上に置いたままの状態で、各ジョグダイヤル１１，１２を持ち直すことなく自然に操作を行うことが可能となる。
ここで、支持部１３を回動操作することで、支持部１３とアームレスト９との間に設けられたロータリエンコーダ等により、各ジョグダイヤル１１，１２が、ドライバ側から操作可能な位置にある状態とアシスタント側から操作可能な位置にある状態とで、その操作内容が切り換わるようになっている。
【００２５】
具体的には、各ジョグダイヤル１１，１２がドライバ側から操作可能な位置にある状態では、第一のジョグダイヤル１１は、ドライバの親指の指先の動作方向に対応して、モニタ画面７内の左右方向（Ｘ方向）での座標、セル、向き、及びスクロール方向等を指定し、第二のジョグダイヤル１２は、ドライバの中指の指先の動作方向に対応して、モニタ画面７内の上下方向（Ｙ方向）での座標、セル、向き、及びスクロール方向等を指定する。
【００２６】
そして、各ジョグダイヤル１１，１２がアシスタント側から操作可能な位置にある状態では、第一のジョグダイヤル１１は、アシスタントの中指の指先の動作方向に対応して、モニタ画面７内の上下方向（Ｙ方向）での座標、セル、向き、及びスクロール方向等を指定し、第二のジョグダイヤル１２は、アシスタントの親指の指先の動作方向に対応して、モニタ画面７内の左右方向（Ｘ方向）での座標、セル、向き、及びスクロール方向等を指定する。
【００２７】
ここで、各ジョグダイヤル１１，１２がドライバ側から操作可能な位置にある状態は、ドライバにとってはその左手の自然な動作により各ジョグダイヤル１１，１２を操作可能な状態であると共に、アシスタントにとってはその右手の指先位置に各ジョグダイヤル１１，１２の位置が対応しない不自然な状態となる。また、各ジョグダイヤル１１，１２がドライバ側から操作可能な位置にある状態には上記と逆のことがいえる。すなわち、各ジョグダイヤル１１，１２をドライバ及びアシスタントが目視するあるいは手で触れることで、各ジョグダイヤル１１，１２がドライバ又はアシスタントのどちらから優先的に操作可能な状態にあるかを容易に判断にできる。
【００２８】
上記実施例によれば、操作に応じて信号を出力する二つのジョグダイヤル１１，１２を有するジョグダイヤル装置１０であって、各ジョグダイヤル１１，１２が、乗員の手先を広げた状態での親指の直下に相当する位置と、中指の直下に近接する位置とに離間して配設されると共に、各ジョグダイヤル１１，１２の回転軸Ａ，Ｂが互いに略直交するように配設されている。
このとき、各ジョグダイヤル１１，１２の回転方向が親指及び中指の自然な動作方向と概ね一致するので、乗員が操作対象となる各装置の操作を所定のモニタ画面７等を見ながら行う際にも、各ジョグダイヤル１１，１２による操作方法を直感的に理解し操作することができる。しかも、各ジョグダイヤル１１，１２を同時に操作できるので、これらを持ち直す必要がない。
このため、ジョグダイヤル装置１０自身の操作性を高めることができるという効果がある。
【００２９】
また、各ジョグダイヤル１１，１２の位置から、各乗員の内のだれが優先的に操作を行うかを明確にできる。
このため、優先的に操作可能な乗員にその操作を促すと共に各乗員による重複操作を抑えて利便性を向上させることができるという効果がある。
【００３０】
各ジョグダイヤル１１，１２は、通常時には前部座席であるシート３，４間の略中央位置に配置される。このとき、各ジョグダイヤル１１，１２が取り付けられる支持部１３が、各ジョグダイヤル１１，１２の回転軸Ａ，Ｂが存在する略水平な軸配置平面の法線方向に概ね沿う（換言すれば、車両天地方向に概ね沿う）回動軸Ｃを中心として回動操作可能に構成されることで、各ジョグダイヤル１１，１２を車両右側に着座した乗員（ドライバ）がその左手で操作可能な状態と、車両左側に着座した乗員（アシスタント）がその右手で操作可能な状態とを、各ジョグダイヤル１１，１２と共に支持部１３を前記回動軸Ｃを中心として回動操作することで切り替えることができる。
このため、各乗員（この場合はドライバとアシスタント）の内のだれが優先的に操作可能かを容易に切り替えることができるという効果がある。
【００３１】
なお、この発明は上記実施例に限られるものではなく、例えば図５に示すジョグダイヤル装置（車両用意志選択決定装置）１０’のように、前記支持部１３が、例えばアームレスト９後部に設けられた車幅方向（車両左右方向）に概ね沿う回動軸Ｄを中心として、アームレスト９と共に回動操作可能に構成されていてもよい。ここで、ジョグダイヤル装置１０’は、支持部１３が回動軸Ｄを中心として回動操作可能であること以外は、前記ジョグダイヤル装置１０と同一の構成を有するものとする。
これにより、各ジョグダイヤル１１，１２を前部座席であるシート３，４に着座した乗員が操作可能な状態（シート３，４間の略中央位置に配置された状態）と、各ジョグダイヤル１１，１２を後部座席であるシート５，６に着座した乗員が操作可能な状態（シート５，６間の略中央位置に配置された状態とを、各ジョグダイヤル１１，１２と共に支持部１３を前記回動軸Ｄを中心として回動操作することで切り替えることができる。しかも、後部左側のシート５に着座した乗員がその右手で操作可能な状態と、後部右側のシート６に着座した乗員がその右手で操作可能な状態とを、各ジョグダイヤル１１，１２と共に支持部１３を前記回動軸Ｃを中心として回動操作することで切り替えることができる。
このため、後部座席の乗員も含め、各乗員の内のだれが優先的に操作可能かを容易に切り替えることができる。
【００３２】
また、一方のジョグダイヤルを中指ではなく人差し指で操作する構成であってもよい。しかも、各ジョグダイヤル１１，１２は、各乗員から操作し易い配置であれば、その回転軸が車両前後方向又は車両左右方向に略平行となる配置に限らず、例えば車両上下方向に略平行な回転軸や斜めの回転軸を有するように配置してもよい。
さらに、ジョグダイヤル装置１０を上面視で各シート３〜６間の略中央位置に配置するように構成してもよい。
さらにまた、支持部１３を各ジョグダイヤル１１，１２と共に車両前後方向に概ね沿う回動軸を中心として回動操作可能に構成してもよい。
【００３３】
また、各シート３〜６に着座検出センサを設け、この着座検出センサの検出情報を利用して、例えば各ジョグダイヤル１１，１２が乗員が着座していない座席側から操作可能な位置に配置された場合に、各ジョグダイヤル１１，１２の操作を無効としたり、モニタ画面７の表示や操作音等で乗員に知らせるようにしてもよい。
さらに、例えばインストルメントパネル８に、モニタ画面７と同様の機能を有するドライバ用のモニタ画面及びアシスタント用のモニタ画面をそれぞれ設け、各ジョグダイヤル１１，１２がドライバ側又はアシスタント側のどちらから操作可能な位置にあるかを表示したり、あるいは各ジョグダイヤル１１，１２による操作内容の表示を行わないようにしてもよい。
そして、この実施例における構成は一例であり、発明の要旨を逸脱しない範囲で適宜変更可能である。
【図面の簡単な説明】
【００３４】
【図１】この発明の実施例における自動車の平面説明図である。
【図２】上記自動車のアームレスト前端部に配設されたジョグダイヤル装置を示す斜視図である。
【図３】上記ジョグダイヤル装置がドライバ側から操作可能な位置にある状態を示す平面図である。
【図４】上記ジョグダイヤル装置がアシスタント側から操作可能な位置にある状態を示す平面図である。
【図５】上記実施例の応用例を示す図１に相当する平面説明図である。
【符号の説明】
【００３５】
１  自動車（車両）
１０、１０’  ジョグダイヤル装置（車両用意志選択決定装置）
１１，１２  ジョグダイヤル（回転操作部材）
１３  支持部
Ａ，Ｂ  回転軸
Ｃ，Ｄ  回動軸
【図１】
2005170219.tif 000003
【図２】
2005170219.tif 000004
【図３】
2005170219.tif 000005
【図４】
2005170219.tif 000006
【図５】
2005170219.tif 000007